(57)【要約】【課題】写真貼り付け時の画像調整の手作業が必要なくなり、効率良く、カードなどの顔写真入りの印刷物を作成できるようにすること。【解決手段】処理装置１０は、メモリ３０に展開した顔写真画像データからエッジを検出し（ステップＳ１１）、エッジのペアを両眼の候補として抽出し（ステップＳ１４）、それら候補の中から人の顔が備える特徴により絞り込み（ステップＳ１５）、その絞り込んだ両眼の位置から上記顔写真画像データにおける顔の領域を推定する（ステップＳ１６）。そして、その上記顔写真画像データからその推定された顔の領域の輝度の平均値を算出し（ステップＳ２０）、その算出した輝度の平均値より補正量を求め（ステップＳ４０）、その求めた補正量により上記顔写真画像データを補正することで、上記顔写真画像データの明るさ調整を行う（ステップＳ５０）。【選択図】    図１
2004240829.tif 000002
【特許請求の範囲】
【請求項１】
写真画像データから検出したエッジのペアを両眼の候補として抽出し、それら候補の中から人の顔が備える特徴により絞り込み、その絞り込んだ両眼の位置から上記写真画像データにおける顔の領域を推定する顔認識手段と、
上記写真画像データから上記顔認識手段によって推定された顔の領域の輝度の平均値を算出する輝度平均値算出手段と、
上記輝度平均値算出手段によって算出した輝度の平均値より補正量を求め、その求めた補正量により上記写真画像データを補正することで、上記写真画像データの明るさ調整を行う明るさ調整手段と、
を具備することを特徴とする顔写真画像調整システム。
【請求項２】
上記写真画像データから上記顔認識手段によって推定された顔の領域における予め指定された色範囲内の部分の色平均値を算出する色平均値算出手段と、
上記色平均値算出手段によって算出した色の平均値を予め指定した色に近づけるように上記写真画像データを補正することで、上記写真画像データの色合いの調整を行う色合い調整手段と、
を更に具備することを特徴とする請求項１に記載の画像調整システム。
【請求項３】
上記輝度平均値算出手段によって算出した輝度の平均値が所定の範囲内にあるか否かを判別する判別手段を更に具備し、
上記明るさ調整手段は、上記輝度の平均値が上記所定の範囲内にないと上記判別手段が判別した場合にのみ、その動作を行うことを特徴とする請求項１又は２に記載の顔写真画像調整システム。
【請求項４】
写真画像データから検出したエッジのペアを両眼の候補として抽出し、それら候補の中から人の顔が備える特徴により絞り込み、その絞り込んだ両眼の位置から上記写真画像データにおける顔の領域を推定する顔認識手段と、
上記写真画像データから上記顔認識手段によって推定された顔の領域における予め指定された色範囲内の部分の色平均値を算出する色平均値算出手段と、
上記色平均値算出手段によって算出した色の平均値を予め指定した色に近づけるように上記写真画像データを補正することで、上記写真画像データの色合いの調整を行う色合い調整手段と、
を具備することを特徴とする顔写真画像調整システム。
【請求項５】
上記色平均値算出手段によって算出した色の平均値が所定の範囲内にあるか否かを判別する判別手段を更に具備し、
上記色合い調整手段は、上記色の平均値が上記所定の範囲内にないと上記判別手段が判別した場合にのみ、その動作を行うことを特徴とする請求項２又は４に記載の顔写真画像調整システム。
【請求項６】
上記所定の範囲は、上記写真画像データを印刷するプリンタ及び印刷用紙の特性に応じて設定されることを特徴とする請求項３又は５に記載の顔写真画像調整システム。
【発明の詳細な説明】
【０００１】
【発明の属する技術分野】
本発明は、顔写真入りの印刷物を印刷するに際して明るさや色合いを調整するための顔写真画像調整システムに関する。
【０００２】
【従来の技術】
従来より、コンピュータとプリンタを使用して、ＩＤカードや名刺等の顔写真入りの印刷物を作成することが行われている。これは、必要事項のテキストを配したカードデザイン画像上に、デジタルカメラ等で撮影した顔写真の画像を貼り付けて印刷することにより作成するものであるが、この場合、顔写真撮影時の照明などの影響により撮影された顔写真の画像は様々であり、暗めに撮れた画像は明るく、青っぽく撮れた画像は青を弱くする、というような画像調整の操作を手動で行うことが必要であった。
【０００３】
また、マウス等を用いて、人物の肌の部分などを指定したり、肌の色などを指定したりすることで、主要被写体範囲を特定するだけで、自動的に、その特定した補正対象範囲に含まれる画像データの輝度の平均値が所定の適正輝度値になるような輝度補正値を算出して、該輝度補正値により画像全体を補正するという自動調整の技術も提案されている（例えば、特許文献１参照）。
【０００４】
【特許文献１】
特開２００２−１３５５５９号公報
【０００５】
【発明が解決しようとする課題】
しかしながら、手作業で画像の調整を行う場合には、ＩＤカード等を大量発行するようなケースでは非常に時間のかかる作業となっていた。
【０００６】
また、上記特許文献１に開示された技術においても、調整作業自体は自動的に行われるものの、主要被写体の範囲を特定するためにユーザが部分や色を指定しなければならず、やはり手作業が必要となる。
【０００７】
本発明は、上記の点に鑑みてなされたもので、写真貼り付け時の画像調整の手作業が必要なくなり、効率良く、カードなどの顔写真入りの印刷物を作成することができる顔写真画像調整システムを提供することを目的とする。
【０００８】
【課題を解決するための手段】
上記の目的を達成するために、請求項１に記載の発明による顔写真画像調整システムは、
写真画像データから検出したエッジのペアを両眼の候補として抽出し、それら候補の中から人の顔が備える特徴により絞り込み、その絞り込んだ両眼の位置から上記写真画像データにおける顔の領域を推定する顔認識手段と、
上記写真画像データから上記顔認識手段によって推定された顔の領域の輝度の平均値を算出する輝度平均値算出手段と、
上記輝度平均値算出手段によって算出した輝度の平均値より補正量を求め、その求めた補正量により上記写真画像データを補正することで、上記写真画像データの明るさ調整を行う明るさ調整手段と、
を具備することを特徴とする。
【０００９】
また、請求項２に記載の発明による顔写真画像調整システムは、請求項１に記載の発明による顔写真画像調整システムにおいて、
上記写真画像データから上記顔認識手段によって推定された顔の領域における予め指定された色範囲内の部分の色平均値を算出する色平均値算出手段と、
上記色平均値算出手段によって算出した色の平均値を予め指定した色に近づけるように上記写真画像データを補正することで、上記写真画像データの色合いの調整を行う色合い調整手段と、
を更に具備することを特徴とする。
【００１０】
また、請求項３に記載の発明による顔写真画像調整システムは、請求項１又は２に記載の発明による顔写真画像調整システムにおいて、
上記輝度平均値算出手段によって算出した輝度の平均値が所定の範囲内にあるか否かを判別する判別手段を更に具備し、
上記明るさ調整手段は、上記輝度の平均値が上記所定の範囲内にないと上記判別手段が判別した場合にのみ、その動作を行うことを特徴とする。
【００１１】
また、上記の目的を達成するために、請求項４に記載の発明による顔写真画像調整システムは、
写真画像データから検出したエッジのペアを両眼の候補として抽出し、それら候補の中から人の顔が備える特徴により絞り込み、その絞り込んだ両眼の位置から上記写真画像データにおける顔の領域を推定する顔認識手段と、
上記写真画像データから上記顔認識手段によって推定された顔の領域における予め指定された色範囲内の部分の色平均値を算出する色平均値算出手段と、
上記色平均値算出手段によって算出した色の平均値を予め指定した色に近づけるように上記写真画像データを補正することで、上記写真画像データの色合いの調整を行う色合い調整手段と、
を具備することを特徴とする。
【００１２】
また、請求項５に記載の発明による顔写真画像調整システムは、請求項２又は４に記載の発明による顔写真画像調整システムにおいて、
上記色平均値算出手段によって算出した色の平均値が所定の範囲内にあるか否かを判別する判別手段を更に具備し、
上記色合い調整手段は、上記色の平均値が上記所定の範囲内にないと上記判別手段が判別した場合にのみ、その動作を行うことを特徴とする。
【００１３】
そして、請求項６に記載の発明による顔写真画像調整システムは、請求項３又は５に記載の発明による顔写真画像調整システムにおいて、上記所定の範囲は、上記写真画像データを印刷するプリンタ及び印刷用紙の特性に応じて設定されることを特徴とする。
【００１４】
【発明の実施の形態】
以下、本発明の実施の形態を図面を参照して説明する。
【００１５】
［第１の実施の形態］
図１の（Ａ）は本発明の第１の実施の形態に係る顔写真画像調整システムの適用された顔写真入り印刷物の印刷システムの構成を示す図であり、該印刷システムは、処理装置１０、ハードディスク２０、メモリ３０、キーボード４０、マウス５０、ディスプレイ６０、デジタルカメラ７０、及びプリンタ８０から構成されている。
【００１６】
ここで、上記処理装置１０は、当該印刷システム全体を制御するためのＣＰＵである。
【００１７】
上記ハードディスク２０は、印刷処理のプログラムや後述するような顔写真画像の自動明るさ調整処理のプログラム等を含む制御ソフトウェアを記憶しているものである。また、このハードディスク２０は、顔写真画像データや顔写真と共に印刷すべき氏名等の特定事項に関する文字データ等の各種データをも蓄積するものである。
【００１８】
一方、上記メモリ３０は、印刷すべきあるいは画像調整すべき顔写真画像データを展開する等、上記処理装置１０のワーク領域として使用されるものである。また、上記キーボード４０、マウス５０、及びディスプレイ６０は、ユーザが当該印刷システムに対して各種指示を行うために使用されるユーザインタフェース装置である。
【００１９】
また、上記デジタルカメラ７０は、人物の顔を撮影し、顔写真画像データを得るための撮影装置である。また、デジタルカメラ７０の代わりに、画像取り込み手段（例えばスキャナなど）を使用しても良い。さらに言えば、他の撮影システムで撮影した画像データを記憶する記憶装置としても良く、本システムへ画像を入力可能なものであれば、その形態を問わない。
【００２０】
そして、上記プリンタ８０は、顔写真画像データと特定事項とを印刷用紙に印刷することでＩＤカードや名刺等の顔写真入りの印刷物を得るための印刷装置である。
【００２１】
このような構成の印刷システムにおいて顔写真入りの印刷物を作成する際、処理装置１０は、例えばハードディスク２０に保存された氏名等のリストをディスプレイ６０に表示し、キーボード４０やマウス５０の操作による選択指定に応じて、その指定された氏名を含む特定事項に関する文字データとそれに対応する写真画像データとをハードディスク２０より読み出して、メモリ３０上に展開し、例えば図２に示すように、ディスプレイ６０に表示された編集画面６１右側のデザイン領域６２に配置表示する。
【００２２】
この編集画面６１は、デザイン領域６２において、キーボード４０やマウス５０の操作により印刷物のデザインを行え、写真画像等の画像や特定事項の文字などを自由にレイアウトして印刷すべき情報として作成・編集することが可能になっており、上記メモリ３０に展開された写真画像データ及び文字データは、デフォルトの位置、あるいはユーザが指定した位置に配置される。
【００２３】
あるいは、デジタルカメラ７０で撮影した写真画像データを直接取り込んで、メモリ３０に展開し、それを編集画面６１のデザイン領域６２に配置表示することもできる。この場合は、指名等の特定事項に関する文字データはブランクとなっており、キーボード４０操作により入力できる。勿論、こうして取り込まれた写真画像データと入力された文字データは対応付けてハードディスク２０に蓄積されることができる。
【００２４】
また、上記編集画面６１左側には、画像自動調整ボタン６３と画像の手動調整用スライドバー６４とが表示されており、従来の画像調整装置もしくはソフトウェアと同様に手動調整用スライドバー６４を操作することで画像の調整を行うこともできるが、本実施の形態においては、上記画像自動調整ボタン６３を押すことで、自動明るさ調整機能が動作する。
【００２５】
図１の（Ｂ）は、この自動明るさ調整機能を実現するための自動明るさ調整処理プログラムのフローチャートを示す図である。
【００２６】
即ち、この自動明るさ調整では、まず、上記メモリ３０に展開した顔写真画像データよりその写真内の顔を認識する（ステップＳ１０）。
【００２７】
この顔認識の処理は、図１の（Ｃ）に示すように、まず、顔写真画像データからエッジを検出する（ステップＳ１１）。その後、それら検出したエッジのうち、周囲に肌色画素が少ないエッジを眼の候補から除外すると共に（ステップＳ１２）、髪の毛を検出し眼の候補から除外して（ステップＳ１３）、残りのエッジのペアを両眼の候補として抽出する（ステップＳ１４）。そして、頬，鼻筋，口等の人の顔が備える様々な特徴により、それら抽出された両眼の候補の中から最もそれらしいものを絞り込んで（ステップＳ１５）、その絞り込んだ両眼の位置から顔の位置と大きさを、即ち顔の領域を推定する（ステップＳ１６）。
【００２８】
このようにして顔の領域が推定されたならば、次に、上記顔写真画像データから、その顔と推定された領域の代表値、本実施の形態では、その顔領域の輝度の平均値Ｙａｖを以下の数１のように計算する（ステップＳ２０）。
【００２９】
【数１】
2004240829.tif 000003
【００３０】
なお、輝度の平均値Ｙａｖを計算するに際して、所定の範囲内の輝度値を有するピクセルについてのみ平均値Ｙａｖを求めても良い。このようにすることによって、認識された顔の領域中に存在する髪の毛や白トビ（光沢部分、または撮影画像上で飽和輝度値若しくは飽和に近い輝度値を有する部分）に相当する領域を上記平均値から除くことができるため、より正確な顔（肌）部分の輝度平均値を得ることが可能となる。
【００３１】
そして、この算出した輝度の平均値Ｙａｖより、当該顔写真画像データについて輝度の補正が必要かどうかを判定する（ステップＳ３０）。この判定の閾値は、上記プリンタ８０（使用されるインク）及び印刷用紙によって変わるものであるが、本実施の形態は、専用のシステムとしてそれらの特性が固定されているものであり、経験的に上記輝度平均値Ｙａｖが所定の範囲（ＹＬ≦Ｙａｖ≦ＹＨ）にある場合には輝度の補正が必要ないものと判別する。
【００３２】
而して、輝度の補正が不要と判別されたときには（ステップＳ３０）、この自動明るさ調整処理を終了する。勿論、こうして輝度の補正を行わずにこの自動明るさ調整処理が終えられた場合、ユーザは、上記手動調整用スライドバー６４により、手動で輝度を調整することで明るさの調整が可能である。
【００３３】
また、輝度の補正が必要であると判別された場合には（ステップＳ３０）、上記算出した輝度の平均値Ｙａｖより補正量を計算し（ステップＳ４０）、その求めた補正量により輝度の補正を行って、編集画面６１のデザイン領域６２の写真画像を更新表示する（ステップＳ５０）。ここで、輝度補正量は、輝度の平均値Ｙａｖ＞ＹＨのときは、
【数２】
2004240829.tif 000004
により算出したＧａｍｍａ値であり、Ｙａｖ＜ＹＬのときは、
【数３】
2004240829.tif 000005
により算出したＧａｍｍａ値である。そして、輝度の補正とは、このＧａｍｍａ値に基づいたガンマ補正である。
【００３４】
なお、こうして輝度の自動補正を行った場合にも、ユーザが、上記手動調整用スライドバー６４により、手動で更に輝度を調整することで明るさ調整が可能なことは勿論である。
【００３５】
而して、以上のようにして自動で及び必要に応じて更に手動で明るさ調整が行われた顔写真画像データと特定事項とは、キーボード４０又はマウス５０操作によるユーザの印刷指示に応じて、上記プリンタ８０によって印刷用紙に印刷することでＩＤカードや名刺等の顔写真入りの印刷物が得られる。
【００３６】
また、上記明るさ調整が行われた顔写真画像データをハードディスク２０に保存することもできる。この場合、明るさの補正された顔写真画像データを保存するのではなく、上記輝度補正量（Ｇａｍｍａ値）をパラメータとして、補正前の元の顔写真画像データに対応付けて保存する。即ち、顔写真画像データの原本は保持したまま、パラメータのみを追加保存するものである。従って、後で、この補正された顔写真画像データの表示又は印刷が指示された場合には、処理装置１０は、原本の顔写真画像データと対応するパラメータとを読み出して、そのパラメータに従って輝度補正を行うことで表示用データ又は印刷用データを作成することとなる。
【００３７】
なお、本実施の形態においては、上記編集画面６１の画像自動調整ボタン６３を押すことで上記のような自動明るさ調整機能が動作するものとしたが、上記編集画面６１のデザイン領域６２への顔写真画像データの貼り付け時に、自動的に、上記自動明るさ調整機能を動作させるようにしても良いことは勿論である。
【００３８】
また、本実施の形態においては、上記顔と推定された領域の代表値として輝度の平均値Ｙａｖを求め、それを使ってＧａｍｍａ値を算出して、ガンマ補正するものとしたが、画像中の緑色成分は輝度に類似する特性を示すことから、輝度の代わりに緑色成分のみを使用するようにしても良い。即ち、上記代表値として、顔と推定された部分の緑色成分の平均値を求め、それを使ってＧａｍｍａ値を算出して、ガンマ補正することで、輝度の平均値Ｙａｖを使用した場合とほぼ同様の明るさ補正が行える。
【００３９】
［第２の実施の形態］
次に、本発明の第２の実施の形態を説明する。
【００４０】
上記第１の実施の形態では顔写真画像データの明るさを自動調整するようにしたものであったが、本第２の実施の形態は、顔写真画像データの色合いを自動調整するようにしたものである。
【００４１】
本第２の実施の形態に係る顔写真画像調整システムの適用された顔写真入り印刷物の印刷システムの構成は、上記第１の実施の形態における印刷システムのそれと同様であり、また、ディスプレイ６０に表示される編集画面６１も上記第１の実施の形態と同様である。但し、編集画面６１の画像自動調整ボタン６３が押された際、本実施の形態においては、自動色合い調整機能が動作する。
【００４２】
図３は、この自動色合い調整機能を実現するための自動色合い調整処理プログラムのフローチャートを示す図である。
【００４３】
即ち、この自動色合い調整では、まず、上記第１の実施の形態と同様にして、上記メモリ３０に展開した顔写真画像データよりその写真内の顔の領域を認識する（ステップＳ１０）。
【００４４】
そして、上記顔写真画像データの認識された顔領域における予め指定された色範囲内の部分の色平均値を計算する（ステップＳ６０）。これは、肌色などの経験上決められた色範囲内の部分、つまり上記顔領域とは髪の毛や眉毛、髭などをも含んだ領域であるので、それらを除いた部分だけの色の平均値（ＲＧＢそれぞれの成分の平均値Ｒａｖ，Ｇａｖ，Ｂａｖ）を求めるものである。即ち、以下の数４により平均値Ｒａｖ，Ｇａｖ，Ｂａｖを算出する。
【００４５】
【数４】
2004240829.tif 000006
【００４６】
そして、この算出した色の平均値Ｒａｖ，Ｇａｖ，Ｂａｖより、当該顔写真画像データについて色の補正が必要かどうかを判定する（ステップＳ７０）。この判定の閾値は、上記プリンタ８０（使用されるインク）及び印刷用紙によって変わるものであるが、本実施の形態は、専用のシステムとしてそれらの特性が固定されているものであり、経験的に決められている。即ち、Δ１＝Ｒａｖ−Ｇａｖとしたとき、Δ１＞Ｇａｖ＊Ｋ１Ｈの場合及びΔ１＜Ｇａｖ＊Ｋ１Ｌの場合（但し、Ｋ１Ｈ＞Ｋ１Ｌ）には赤色の色合い補正が必要であり、また、Δ２＝Ｇａｖ−Ｂａｖとしたとき、Δ２＞Ｇａｖ＊Ｋ２Ｈの場合及びΔ２＜Ｇａｖ＊Ｋ２Ｌの場合（但し、Ｋ２Ｈ＞Ｋ２Ｌ）には青色の色合い補正が必要であると判別する。なお、本実施の形態では、緑色を基準として赤色及び／又は青色の色合いを調整するものであり、よって、緑色については調整を行わないので、補正が必要か否かを判別することは無い。
【００４７】
而して、赤色及び青色の何れの色合いの補正も不要と判別されたときには（ステップＳ７０）、この自動色合い調整処理を終了する。勿論、こうして色合いの補正を行わずにこの自動色合い調整処理が終えられた場合、ユーザは、編集画面６１上の手動調整用スライドバー６４により、手動で色合いを調整することが可能である。
【００４８】
また、赤色及び／又は青色の色合いの補正が必要であると判別された場合には（ステップＳ７０）、上記算出した色の平均値Ｒａｖ，Ｇａｖ，Ｂａｖを予め指定した色に近づけるよう補正するための補正量を計算する（ステップＳ８０）。ここで、赤色の補正量ＣＲについては、Δ１＞Ｇａｖ＊Ｋ１ＨのときはＣＲ＝Ｇａｖ＊Ｋ１Ｈ−Δ１により、Δ１＜Ｇａｖ＊Ｋ１ＬのときはＣＲ＝Ｇａｖ＊Ｋ１Ｌ−Δ１により算出する。また、青色の補正量ＣＢについては、Δ２＞Ｇａｖ＊Ｋ２ＨのときはＣＢ＝Δ２−Ｇａｖ＊Ｋ２Ｈにより、Δ２＜Ｇａｖ＊Ｋ２ＬのときはＣＢ＝Δ２−Ｇａｖ＊Ｋ２Ｌにより算出する。
【００４９】
そして、その求めた補正量により変換テーブルを作成し、それに従って各画素毎に赤色成分及び青色成分の色合い補正を行い、編集画面６１のデザイン領域６２の写真画像を更新表示する（ステップＳ９０）。例えば、赤色の変換テーブルは、以下の数５のように計算する。
【００５０】
【数５】
2004240829.tif 000007
【００５１】
なお、こうして色合いの自動補正を行った場合にも、ユーザが、上記手動調整用スライドバー６４により、手動で更に色合いを調整することが可能なことは勿論である。
【００５２】
而して、以上のようにして自動で及び必要に応じて更に手動で色合い調整が行われた顔写真画像データと特定事項とは、キーボード４０又はマウス５０操作によるユーザの印刷指示に応じて、上記プリンタ８０によって印刷用紙に印刷することでＩＤカードや名刺等の顔写真入りの印刷物が得られる。
【００５３】
また、上記色合い調整が行われた顔写真画像データをハードディスク２０に保存することもできる。この場合、色合いの補正された顔写真画像データを保存するのではなく、上記変換テーブルをパラメータとして、補正前の元の顔写真画像データに対応付けて保存する。即ち、顔写真画像データの原本は保持したまま、パラメータのみを追加保存するものである。従って、後で、この補正された顔写真画像データの表示又は印刷が指示された場合には、処理装置１０は、原本の顔写真画像データと対応するパラメータとを読み出して、そのパラメータに従って色合い補正を行うことで表示用データ又は印刷用データを作成することとなる。
【００５４】
なお、本実施の形態においては、上記編集画面６１の画像自動調整ボタン６３を押すことで上記のような自動色合い調整機能が動作するものとしたが、上記編集画面６１のデザイン領域６２への顔写真画像データの貼り付け時に、自動的に、上記自動色合い調整機能を動作させるようにしても良いことは勿論である。
【００５５】
［第３の実施の形態］
次に、本発明の第３の実施の形態を説明する。
【００５６】
本第３の実施の形態は、上記第１の実施の形態のような明るさの自動調整と上記第２の実施の形態のような色合いを自動調整との両方を行うようにしたものである。
【００５７】
本第３の実施の形態に係る顔写真画像調整システムの適用された顔写真入り印刷物の印刷システムの構成は、上記第１の実施の形態における印刷システムのそれと同様であり、また、ディスプレイ６０に表示される編集画面６１も上記第１の実施の形態と同様である。但し、編集画面６１の画像自動調整ボタン６３が押された際、本実施の形態においては、自動明るさ調整機能と自動色合い調整機能とが順次動作する。
【００５８】
図４は、この順次の自動明るさ調整機能及び自動色合い調整機能を実現するための自動調整処理プログラムのフローチャートを示す図である。
【００５９】
即ち、まず、上記第１の実施の形態で説明したように、上記メモリ３０に展開した顔写真画像データよりその写真内の顔の領域を認識し（ステップＳ１０）、上記顔写真画像データから、その顔と推定された領域の輝度の平均値Ｙａｖを計算する（ステップＳ２０）。そして、この算出した輝度の平均値Ｙａｖより、当該顔写真画像データについて輝度の補正が必要かどうかを判定する（ステップＳ３０）。ここで、輝度の補正が不要と判別されたときには（ステップＳ３０）、ステップＳ６０に進む。また、輝度の補正が必要であると判別された場合には（ステップＳ３０）、上記算出した輝度の平均値Ｙａｖより補正量を計算し（ステップＳ４０）、その求めた補正量により輝度の補正を行って、編集画面６１のデザイン領域６２の写真画像を更新表示する（ステップＳ５０）。
【００６０】
その後、あるいは上記ステップＳ３０で輝度の補正が不要と判別された場合、上記第２の実施の形態で説明したように、上記顔写真画像データの認識された顔領域における予め指定された色範囲内の部分の色平均値を計算し（ステップＳ６０）、この算出した色の平均値Ｒａｖ，Ｇａｖ，Ｂａｖより、当該顔写真画像データについて色の補正が必要かどうかを判定する（ステップＳ７０）。ここで、赤色及び青色の何れの色合いの補正も不要と判別されたときには（ステップＳ７０）、この自動調整処理を終了する。また、赤色及び／又は青色の色合いの補正が必要であると判別された場合には（ステップＳ７０）、上記算出した色の平均値Ｒａｖ，Ｇａｖ，Ｂａｖより色合いの補正量を計算する（ステップＳ８０）。そして、その求めた補正量により変換テーブルを作成し、それに従って各画素毎に赤色成分及び青色成分の色合い補正を行い、編集画面６１のデザイン領域６２の写真画像を更新表示する（ステップＳ９０）。
【００６１】
なお、本実施の形態においても、明るさの調整に関しては、輝度の代わりに緑色成分のみを使用するようにしても良いことは勿論である。
【００６２】
また、本実施の形態では、先に上記第１の実施の形態のような明るさの自動調整を行い、その後に上記第２の実施の形態のような色合いを自動調整を行うようにしているが、その逆に、まず上記第２の実施の形態のような色合いを自動調整を行い、その後に上記第１の実施の形態のような明るさの自動調整を行うようにしても良い。
【００６３】
［第４の実施の形態］
次に、本発明の第４の実施の形態を説明する。
【００６４】
上記第１乃至第３の実施の形態は専用のシステムであったが、市販のパーソナルコンピュータと市販のプリンタとを用いて、上記実施の形態で説明したような顔写真入り印刷物の印刷システムを構成することも可能である。
【００６５】
但し、上記第１乃至第３の実施の形態のような専用のシステムではプリンタ８０（使用されるインク）、及び印刷用紙が予め決まっていることから、前述したような補正要否判別のための閾値等が固定であったが、そのように市販のパーソナルコンピュータと市販のプリンタとを用いて構成する場合には、複数種類のプリンタ（インク）と複数種類の印刷用紙との組み合わせそれぞれに応じた閾値をパーソナルコンピュータのハードディスクに格納しておき、使用するプリンタ（インク）と印刷用紙とをユーザに指定させる何らかのユーザインタフェースが必要となる。
【００６６】
このユーザインタフェースとしては各種考えられるが、例えば、それぞれを指定するためプルダウンメニューを表示する選択画面をディスプレイ６０に表示し、キーボート４０やマウス５０操作によりプリンタ（インク）と印刷用紙を指定するようにすれば良い。また、プリンタ（インク）については、標準のプリンタとして予め指定されているものをそのまま設定するようにしても良い。
【００６７】
以上実施の形態に基づいて本発明を説明したが、本発明は上述した実施の形態に限定されるものではなく、本発明の要旨の範囲内で種々の変形や応用が可能なことは勿論である。
【００６８】
例えば、上記実施の形態では、専用のシステムであることから、顔写真画像データを得るための撮影時に、被写体人物とデジタルカメラ７０とがほぼ同じ位置関係に設定されて撮影されるため、ほぼ同じ大きさの顔が写った顔写真が得られるので、顔写真画像中の顔の大きさについては何ら変更していないが、人の顔の大きさというのは一律ではないことから、顔認識の処理によって判別された顔の範囲に基づいて最適な倍率に自動調整した後、明るさや色合いの自動調整を行うようにしても良い。更に、このような倍率の調整は、上記のような市販のパーソナルコンピュータと市販のプリンタとを用いて顔写真入り印刷物の印刷システムを構成した場合には、顔写真画像データ中の人の顔の大きさは様々であるので、特に有効である。
【００６９】
（付記）
前記の具体的実施の形態から、以下のような構成の発明を抽出することができる。
【００７０】
（１）  写真画像データから検出したエッジのペアを両眼の候補として抽出し、それら候補の中から人の顔が備える特徴により絞り込み、その絞り込んだ両眼の位置から上記写真画像データにおける顔の領域を推定する顔認識手段と、
上記写真画像データから上記顔認識手段によって推定された顔の領域の輝度の平均値を算出する輝度平均値算出手段と、
上記輝度平均値算出手段によって算出した輝度の平均値より補正量を求め、その求めた補正量により上記写真画像データを補正することで、上記写真画像データの明るさ調整を行う明るさ調整手段と、
を具備することを特徴とする顔写真画像調整システム。
（対応する実施の形態）
この（１）に記載の顔写真画像調整システムに関する実施の形態は、第１の実施の形態が対応する。ここで、顔認識手段、輝度平均値算出手段、及び明るさ調整手段は、その実施の形態における処理装置１０に相当する。
（作用効果）
この（１）に記載の顔写真画像調整システムによれば、顔写真画像内の顔を認識する機能を付加し、認識した顔付近の輝度情報から平均値を求め、その平均値から補正量を求めて、元の顔写真画像を補正することで明るさ調整を行うようにしているので、顔写真画像の顔付近の明るさが暗いものは明るく、明るいものは暗く、適度な明るさに、手動で調整する手間なく、自動的に調整されるようになる。
【００７１】
（２）  上記写真画像データから上記顔認識手段によって推定された顔の領域における予め指定された色範囲内の部分の色平均値を算出する色平均値算出手段と、
上記色平均値算出手段によって算出した色の平均値を予め指定した色に近づけるように上記写真画像データを補正することで、上記写真画像データの色合いの調整を行う色合い調整手段と、
を更に具備することを特徴とする（１）に記載の画像調整システム。
（対応する実施の形態）
この（２）に記載の顔写真画像調整システムに関する実施の形態は、第３の実施の形態が対応する。ここで、色平均値算出手段及び色合い調整手段は、その実施の形態における処理装置１０に相当する。
（作用効果）
この（２）に記載の顔写真画像調整システムによれば、更に、認識した顔の領域における予め指定された色範囲内の部分の色平均値を算出し、その算出した色の平均値を予め指定した色に近づけるように写真画像データを補正することで、上記写真画像データの色合いの調整を行うようにしているので、写真の色合いが赤っぽかったり、青っぽかったりしたものが、手動で調整する手間なく、自動的に見やすい色合いに調整されるようになる。
【００７２】
（３）  上記輝度平均値算出手段によって算出した輝度の平均値が所定の範囲内にあるか否かを判別する判別手段を更に具備し、
上記明るさ調整手段は、上記輝度の平均値が上記所定の範囲内にないと上記判別手段が判別した場合にのみ、その動作を行うことを特徴とする（１）又は（２）に記載の顔写真画像調整システム。
（対応する実施の形態）
この（３）に記載の顔写真画像調整システムに関する実施の形態は、第１又は第３の実施の形態が対応する。ここで、判別手段は、その実施の形態における処理装置１０に相当する。
（作用効果）
この（３）に記載の顔写真画像調整システムによれば、輝度の平均値が所定の範囲内にないときにのみ明るさ調整を行うようにしているので、輝度の平均値が所定の範囲内にあるときには無駄な明るさ調整動作を行うことが無い。
【００７３】
（４）  写真画像データから検出したエッジのペアを両眼の候補として抽出し、それら候補の中から人の顔が備える特徴により絞り込み、その絞り込んだ両眼の位置から上記写真画像データにおける顔の領域を推定する顔認識手段と、
上記写真画像データから上記顔認識手段によって推定された顔の領域における予め指定された色範囲内の部分の色平均値を算出する色平均値算出手段と、
上記色平均値算出手段によって算出した色の平均値を予め指定した色に近づけるように上記写真画像データを補正することで、上記写真画像データの色合いの調整を行う色合い調整手段と、
を具備することを特徴とする顔写真画像調整システム。
（対応する実施の形態）
この（４）に記載の顔写真画像調整システムに関する実施の形態は、第２の実施の形態が対応する。ここで、顔認識手段、色平均値算出手段、及び色合い調整手段は、その実施の形態における処理装置１０に相当する。
（作用効果）
この（４）に記載の顔写真画像調整システムによれば、写真画像内の顔を認識する機能を付加し、認識した顔の領域における予め指定された色範囲内の部分の色平均値を算出し、その算出した色の平均値を予め指定した色に近づけるように写真画像データを補正することで、上記写真画像データの色合いの調整を行うようにしているので、写真の色合いが赤っぽかったり、青っぽかったりしたものが、手動で調整する手間なく、自動的に見やすい色合いに調整されるようになる。
（５）  上記色平均値算出手段によって算出した色の平均値が所定の範囲内にあるか否かを判別する判別手段を更に具備し、
上記色合い調整手段は、上記色の平均値が上記所定の範囲内にないと上記判別手段が判別した場合にのみ、その動作を行うことを特徴とする（２）又は（４）に記載の顔写真画像調整システム。
（対応する実施の形態）
この（５）に記載の顔写真画像調整システムに関する実施の形態は、第２又は第３の実施の形態が対応する。ここで、判別手段は、その実施の形態における処理装置１０に相当する。
（作用効果）
この（５）に記載の顔写真画像調整システムによれば、色の平均値が所定の範囲内にないときにのみ色合い調整を行うようにしているので、色の平均値が所定の範囲内にあるときには無駄な色合い調整動作を行うことが無い。
【００７４】
（６）  上記所定の範囲は、上記写真画像データを印刷するプリンタ及び印刷用紙の特性に応じて設定されることを特徴とする（３）又は（５）に記載の顔写真画像調整システム。
（対応する実施の形態）
この（６）に記載の顔写真画像調整システムに関する実施の形態は、第４の実施の形態が対応する。
（作用効果）
この（６）に記載の顔写真画像調整システムによれば、使用されるプリンタ及び印刷用紙に応じて、自動明るさ調整及び／又は自動色合い調整を行うかどうかを判別するための所定の範囲が設定されるようにしているので、使用されるプリンタ及び印刷用紙に応じて適切な判別が行えるようになる。
【００７５】
【発明の効果】
以上詳述したように、本発明によれば、写真貼り付け時の画像調整の手作業が必要なくなり、効率良く、カードなどの顔写真入りの印刷物を作成することができる顔写真画像調整システムを提供することができる。
【図面の簡単な説明】
【図１】（Ａ）は本発明の第１の実施の形態に係る顔写真画像調整システムの適用された顔写真入り印刷物の印刷システムの構成を示す図、（Ｂ）は自動明るさ調整処理プログラムのフローチャートを示す図であり、（Ｃ）は顔認識処理サブルーチンのフローチャートを示す図である。
【図２】編集画面を示す図である。
【図３】本発明の第２の実施の形態に係る顔写真画像調整システムの適用された顔写真入り印刷物の印刷システムにおける自動色合い調整処理プログラムのフローチャートを示す図である。
【図４】本発明の第３の実施の形態に係る顔写真画像調整システムの適用された顔写真入り印刷物の印刷システムにおける自動調整処理プログラムのフローチャートを示す図である。
【符号の説明】
１０…処理装置、２０…ハードディスク、３０…メモリ、４０…キーボード、５０…マウス、６０…ディスプレイ、６１…編集画面、６２…デザイン領域、６３…画像自動調整ボタン、６４…手動調整用スライドバー、７０…デジタルカメラ、８０…プリンタ。
【図１】
2004240829.tif 000008
【図２】
2004240829.tif 000009
【図３】
2004240829.tif 000010
【図４】
2004240829.tif 000011